(57)【要約】【課題】装置本体（筐体）が可搬式であっても、眼鏡装用パラメータ測定のために用いる被検者の顔についての画像をボケや歪み等がなく取得する。【解決手段】眼鏡フレームを装用した状態の被検者の顔を測定補助具の被撮像面に描かれた合わせパターンマークと共に撮像する撮像カメラ部１１と、前記撮像カメラ部１１による撮像対象を画像表示する撮像ファインダーとして機能する表示画面部１２と、前記撮像カメラ部１１で得られた撮像結果を用いて前記被検者に関する眼鏡装用パラメータを求める情報処理部１４とを備えた眼鏡装用パラメータ測定装置１において、前記表示画面部１２は、前記合わせパターンマークに対応するガイドパターンマークを前記撮像ファインダー内に表示し、前記撮像カメラ部１１は、前記撮像ファインダー内で前記合わせパターンマークと前記ガイドパターンマークとが合致すると、当該合致を契機にオートシャッターを働かせて撮像結果を得るようにする。【選択図】図２
2015064455.tif 000002
【特許請求の範囲】
【請求項１】
眼鏡フレームを装用した状態の被検者の顔側面または顔正面を、当該被検者の顔近傍に配された測定補助具の被撮像面に描かれた合わせパターンマークと共に撮像する撮像カメラ部と、
前記撮像カメラ部による撮像対象を画像表示する撮像ファインダーとして機能する表示画面部と、
前記撮像カメラ部で得られた撮像結果を用いて前記被検者に関する眼鏡装用パラメータを求める情報処理部とを備え、
前記表示画面部は、前記合わせパターンマークに対応するガイドパターンマークを前記撮像ファインダー内に表示し、
前記撮像カメラ部は、前記撮像ファインダー内で前記合わせパターンマークと前記ガイドパターンマークとが合致すると、当該合致を契機にオートシャッターを働かせて撮像結果を得る
ことを特徴とする眼鏡装用パラメータ測定装置。
【請求項２】
前記ガイドパターンマークは、前記被撮像面上にて二次元の各方向に延びる図形の組み合わせからなる前記合わせパターンマークに対して、当該合わせパターンマークと同じパターン形状に形成されている
ことを特徴とする請求項１記載の眼鏡装用パラメータ測定装置。
【請求項３】
前記ガイドパターンマークは、前記被撮像面上にて所定サイズで形成された前記合わせパターンマークに対して、当該合わせパターンマークを前記撮像カメラ部が所定撮影倍率かつ所定撮影距離で撮像したときに前記撮像ファインダー内で合致するサイズに形成されている
ことを特徴とする請求項１または２記載の眼鏡装用パラメータ測定装置。
【請求項４】
前記ガイドパターンマークは、前記撮像ファインダーの画面中心から外れた位置に表示される
ことを特徴とする請求項１から３のいずれか１項に記載の眼鏡装用パラメータ測定装置。
【請求項５】
前記表示画面部は、前記撮像カメラ部が設けられている装置筐体の姿勢の状態を示すアイコン画像を前記撮像ファインダー内に表示する
ことを特徴とする請求項１から４のいずれか１項に記載の眼鏡装用パラメータ測定装置。
【請求項６】
前記情報処理部は、前記撮像カメラ部で得られた撮像結果をグリッド画像と共に前記表示画面部に表示させ、前記グリッド画像を利用して当該撮像結果についての位置補正処理を行わせる
ことを特徴とする請求項１から５のいずれか１項に記載の眼鏡装用パラメータ測定装置。
【請求項７】
撮像カメラ部、表示画面部および情報処理部を備えてなるコンピュータを、
眼鏡フレームを装用した状態の被検者の顔側面または顔正面を、当該被検者の顔近傍に配された測定補助具の被撮像面に描かれた合わせパターンマークと共に、前記撮像カメラ部による撮像対象とする撮像制御手段と、
前記撮像カメラ部による撮像対象を前記表示画面部に画像表示させて撮像ファインダーとする表示制御手段と、
前記撮像カメラ部で得られた撮像結果を用いて前記被検者に関する眼鏡装用パラメータを前記情報処理部に求めさせる計測演算手段として機能させるとともに、
前記表示制御手段は、前記合わせパターンマークに対応するガイドパターンマークを前記撮像ファインダー内に表示し、
前記撮像制御手段は、前記撮像ファインダー内で前記合わせパターンマークと前記ガイドパターンマークとが合致すると、当該合致を契機に前記撮像カメラ部のオートシャッターを働かせて撮像結果を得る
ことを特徴とする眼鏡装用パラメータ測定プログラム。
【請求項８】
眼鏡フレームを装用した状態の被検者の顔側面または顔正面の撮像結果を基に前記被検者に関する眼鏡装用パラメータを測定するにあたって、その測定に用いる撮像結果を取得するための画像取得方法であって、
被撮像面に合わせパターンマークが描かれてなる測定補助具を前記被検者の顔近傍に配しておき、前記被検者の顔側面または顔正面を前記被撮像面上の前記合わせパターンマークと共に撮像カメラ部での撮像対象とし、
前記撮像カメラ部での撮像対象を表示画面部で画像表示して撮像ファインダーとして機能させるとともに、前記合わせパターンマークに対応するガイドパターンマークを前記撮像ファインダー内に表示し、
前記撮像ファインダー内で前記合わせパターンマークと前記ガイドパターンマークとが合致すると、当該合致を契機に前記撮像カメラ部のオートシャッターを働かせて撮像結果を得る
ことを特徴とする画像取得方法。
【発明の詳細な説明】
【技術分野】
【０００１】
本発明は、眼鏡装用パラメータについて測定を行う際に用いられる眼鏡装用パラメータ測定装置、眼鏡装用パラメータ測定プログラムおよび画像取得方法に関する。
【背景技術】
【０００２】
一般に、眼鏡レンズの作製には、眼鏡装用者が眼鏡フレームを装用した状態で測定される眼鏡装用パラメータが必要となる。眼鏡装用パラメータとしては、角膜頂点間距離、フレーム前傾角、フィッティングポイント位置、瞳孔間距離、フレーム反り角等がある。
【０００３】
眼鏡装用パラメータの測定は、専用の測定装置を用いて行われる。専用の測定装置としては、例えば、眼鏡フレームを装用した状態の被検者の顔側面または顔正面を撮像し、その撮像結果である画像を基に、各種眼鏡装用パラメータを演算して求めるように構成されたものがある（例えば、特許文献１参照）。さらに詳しくは、特許文献１に開示された測定装置は、測定モードを側面測定モードまたは正面測定モードのいずれかに選択した後、検者（例えば、眼鏡店の店員）が装置本体を手に取ってスイッチを押すことで、被検者の眼鏡フレームを装用した顔側面または顔正面の画像データを取得し、その画像データによって表示される画像上で角膜頂点間距離や瞳孔間距離等の各種眼鏡装用パラメータを演算して求めるようになっている（例えば、特許文献１の段落「００３２」の記載参照）。
【先行技術文献】
【特許文献】
【０００４】
【特許文献１】特許第３９７６９２５号公報
【発明の概要】
【発明が解決しようとする課題】
【０００５】
特許文献１に開示された測定装置は、装置本体が可搬式のため、非可搬式の大掛かりな測定装置のような設置スペースを要することがなく、眼鏡店への導入を容易化できる一方で、装置本体が可搬式であるが故に、以下に述べるような問題が生じてしまうおそれがある。
【０００６】
被検者の顔側面または顔正面の撮像結果である画像を基に各種眼鏡装用パラメータの測定を高精度に行うためには、その基になる画像にボケや歪み等が生じていないことが必要である。しかしながら、
（１）検者が可搬式の装置本体を手に取った状態で、その検者によるスイッチ押下を契機に画像取得を行っていたのでは、手ブレの影響により画像の乱れ（ボケ等）が生じてしまう可能性があり、その結果として高精度な眼鏡装用パラメータ測定が行えなくなるおそれがある。
【０００７】
そこで、本発明は、装置本体（筐体）が可搬式であっても、被検者の顔側面または顔正面についてボケや歪み等のない画像を取得することができ、これにより高精度な眼鏡装用パラメータ測定を行うことを実現可能とする眼鏡装用パラメータ測定装置、眼鏡装用パラメータ測定プログラムおよび画像取得方法を提供することを目的とする。
【課題を解決するための手段】
【０００８】
本発明は、上記目的を達成するために案出されたものである。
本発明の第１の態様は、眼鏡フレームを装用した状態の被検者の顔側面または顔正面を、当該被検者の顔近傍に配された測定補助具の被撮像面に描かれた合わせパターンマークと共に撮像する撮像カメラ部と、前記撮像カメラ部による撮像対象を画像表示する撮像ファインダーとして機能する表示画面部と、前記撮像カメラ部で得られた撮像結果を用いて前記被検者に関する眼鏡装用パラメータを求める情報処理部とを備え、前記表示画面部は、前記合わせパターンマークに対応するガイドパターンマークを前記撮像ファインダー内に表示し、前記撮像カメラ部は、前記撮像ファインダー内で前記合わせパターンマークと前記ガイドパターンマークとが合致すると、当該合致を契機にオートシャッターを働かせて撮像結果を得ることを特徴とする眼鏡装用パラメータ測定装置である。
本発明の第２の態様は、第１の態様に記載の眼鏡装用パラメータ測定装置において、前記ガイドパターンマークは、前記被撮像面上にて二次元の各方向に延びる図形の組み合わせからなる前記合わせパターンマークに対して、当該合わせパターンマークと同じパターン形状に形成されていることを特徴とする。
本発明の第３の態様は、第１または第２の態様に記載の眼鏡装用パラメータ測定装置において、前記ガイドパターンマークは、前記被撮像面上にて所定サイズで形成された前記合わせパターンマークに対して、当該合わせパターンマークを前記撮像カメラ部が所定撮影倍率かつ所定撮影距離で撮像したときに前記撮像ファインダー内で合致するサイズに形成されていることを特徴とする。
本発明の第４の態様は、第１から第３の態様のいずれか１態様に記載の眼鏡装用パラメータ測定装置において、前記ガイドパターンマークは、前記撮像ファインダーの画面中心から外れた位置に表示されることを特徴とする。
本発明の第５の態様は、第１から第４の態様のいずれか１態様に記載の眼鏡装用パラメータ測定装置において、前記表示画面部は、前記撮像カメラ部が設けられている装置筐体の姿勢の状態を示すアイコン画像を前記撮像ファインダー内に表示することを特徴とする。
本発明の第６の態様は、第１から第５の態様のいずれか１態様に記載の眼鏡装用パラメータ測定装置において、前記情報処理部は、前記撮像カメラ部で得られた撮像結果をグリッド画像と共に前記表示画面部に表示させ、前記グリッド画像を利用して当該撮像結果についての位置補正処理を行わせることを特徴とする。
本発明の第７の態様は、撮像カメラ部、表示画面部および情報処理部を備えてなるコンピュータを、眼鏡フレームを装用した状態の被検者の顔側面または顔正面を、当該被検者の顔近傍に配された測定補助具の被撮像面に描かれた合わせパターンマークと共に、前記撮像カメラ部による撮像対象とする撮像制御手段と、前記撮像カメラ部による撮像対象を前記表示画面部に画像表示させて撮像ファインダーとする表示制御手段と、前記撮像カメラ部で得られた撮像結果を用いて前記被検者に関する眼鏡装用パラメータを前記情報処理部に求めさせる計測演算手段として機能させるとともに、前記表示制御手段は、前記合わせパターンマークに対応するガイドパターンマークを前記撮像ファインダー内に表示し、前記撮像制御手段は、前記撮像ファインダー内で前記合わせパターンマークと前記ガイドパターンマークとが合致すると、当該合致を契機に前記撮像カメラ部のオートシャッターを働かせて撮像結果を得ることを特徴とする眼鏡装用パラメータ測定プログラムである。
本発明の第８の態様は、眼鏡フレームを装用した状態の被検者の顔側面または顔正面の撮像結果を基に前記被検者に関する眼鏡装用パラメータを測定するにあたって、その測定に用いる撮像結果を取得するための画像取得方法であって、被撮像面に合わせパターンマークが描かれてなる測定補助具を前記被検者の顔近傍に配しておき、前記被検者の顔側面または顔正面を前記被撮像面上の前記合わせパターンマークと共に撮像カメラ部での撮像対象とし、前記撮像カメラ部での撮像対象を表示画面部で画像表示して撮像ファインダーとして機能させるとともに、前記合わせパターンマークに対応するガイドパターンマークを前記撮像ファインダー内に表示し、前記撮像ファインダー内で前記合わせパターンマークと前記ガイドパターンマークとが合致すると、当該合致を契機に前記撮像カメラ部のオートシャッターを働かせて撮像結果を得ることを特徴とする画像取得方法である。
【発明の効果】
【０００９】
本発明によれば、装置本体が可搬式であっても、被検者の顔側面または顔正面についてボケや歪み等のない画像を取得することができ、これにより高精度な眼鏡装用パラメータ測定を行うことが実現可能となる。
【図面の簡単な説明】
【００１０】
【図１】眼鏡装用パラメータの具体例を示す説明図である。
【図２】本発明の一実施形態における眼鏡装用パラメータ測定装置の構成例を示す説明図である。
【図３】本発明の一実施形態における測定補助具の構成例を示す説明図である。
【図４】本発明の一実施形態における眼鏡装用パラメータ測定方法の手順の一例を示すフローチャートである。
【図５】本発明の一実施形態における測定補助具の配置態様の一具体例を示す説明図である。
【図６】本発明の一実施形態における眼鏡装用パラメータ測定装置の撮像ファインダーで表示する内容の具体例を示す説明図であり、被検者の顔を上面から撮像する場合の表示内容を示す図である。
【図７】本発明の一実施形態における眼鏡装用パラメータ測定装置の撮像ファインダーで表示する内容の具体例を示す説明図であり、被検者の顔を側面から撮像する場合の表示内容を示す図である。
【図８】本発明の一実施形態における眼鏡装用パラメータ測定装置の撮像ファインダーで表示する内容の具体例を示す説明図であり、被検者の顔を正面から撮像する場合の表示内容を示す図である。
【図９】本発明の一実施形態における眼鏡装用パラメータ測定装置で眼鏡装用パラメータを求める際の表示画面部での表示内容の具体例を示す説明図であり、眼鏡装用パラメータのうちのフレーム反り角を求める場合の表示内容を示す図である。
【図１０】本発明の一実施形態における眼鏡装用パラメータ測定装置で眼鏡装用パラメータを求める際の表示画面部での表示内容の具体例を示す説明図であり、眼鏡装用パラメータのうちの角膜頂点間距離およびフレーム前傾角を求める場合の表示内容を示す図である。
【図１１】本発明の一実施形態における眼鏡装用パラメータ測定装置で眼鏡装用パラメータを求める際の表示画面部での表示内容の具体例を示す説明図であり、眼鏡装用パラメータのうちのフィッティングポイント位置を求めるために必要となるレンズ縦幅についての表示内容を示す図である。
【図１２】本発明の一実施形態における眼鏡装用パラメータ測定装置で眼鏡装用パラメータを求める際の表示画面部での表示内容の具体例を示す説明図であり、眼鏡装用パラメータのうちのフィッティングポイント位置および瞳孔間距離を求める場合の表示内容を示す図である。
【図１３】本発明の一実施形態における眼鏡装用パラメータ測定装置で眼鏡装用パラメータを求める際の表示画面部での表示内容の具体例を示す説明図であり、各眼鏡装用パラメータの測定結果についての表示内容を示す図である。
【発明を実施するための形態】
【００１１】
以下、本発明の実施形態を、図面に基づいて説明する。
ここでは、以下のような項分けをして説明を行う。
１．本発明の概要
２．眼鏡装用パラメータの具体例
３．眼鏡装用パラメータ測定装置の構成例
４．測定補助具の構成例
５．眼鏡装用パラメータ測定方法の手順
５−１．手順の概要
５−２．準備段階
５−３．撮像段階
５−４．測定段階
６．本実施形態の効果
７．変形例等
【００１２】
＜１．本発明の概要＞
先ず、本発明の概要について説明する。
本発明は、眼鏡装用パラメータについて測定を行う際に用いられる。さらに詳しくは、眼鏡フレームを装用した状態の被検者の顔側面または顔正面を撮像し、その撮像結果である画像を基に各種眼鏡装用パラメータを演算して求めることで、眼鏡装用パラメータについて測定を行う。
このような眼鏡装用パラメータの測定を、本発明では、装置本体（筐体）が可搬式に構成された眼鏡装用パラメータ測定装置を用いて行う。可搬式であれば、非可搬式の大掛かりな測定装置のような設置スペースを要することがなく、眼鏡店への導入を容易化できるからである。
可搬式の眼鏡装用パラメータ測定装置は、眼鏡装用パラメータの測定者（すなわち被検者に対する検者）が手で持ち運び可能なものであれば、その構成が特に限定されるものではないが、その一例として撮像機能、画像表示機能および情報処理機能を備えたコンピュータである携帯型のタブレット端末装置を利用して構成することが考えられる。タブレット端末装置を利用して構成すれば、眼鏡装用パラメータの測定に必要十分な撮像機能、画像表示機能および情報処理機能が得られ、しかも近年広く普及しつつあることを鑑みれば低コストで構成することも実現可能となり、眼鏡店への導入を促進する上で非常に好適であると言える。
【００１３】
ところで、可搬式の眼鏡装用パラメータ測定装置を用いる場合には、被検者の顔側面または顔正面を撮像する際に、可搬式であるが故に上記（１）の問題が生じてしまうおそれがある。このことは、特に検者によるスイッチ押下を契機に画像取得を行うと、顕著に発生し得ると考えられる。
この点につき、本願発明者は、鋭意検討を行った。そして、本願発明者は、スイッチ押下を契機にするのではなく、当該スイッチ押下を不要とするオートシャッターを利用して画像取得を行えば、手ブレによるボケ等を緩和できるのではないとの着想を得た。オートシャッター機構としては、他の技術分野（例えば携帯電話に搭載された撮像カメラ）においては、撮像対象の目的物（例えば二次元バーコード）を認識すると、自動的にシャッターを切るというものが知られている。
しかしながら、眼鏡装用パラメータ測定装置は、眼鏡フレームを装用した状態の被検者の顔側面または顔正面を撮像目的物とする。そして、眼鏡フレームは多種多様なものが存在し、また被検者の顔側面または顔正面についても千差万別である。そのため、眼鏡装用パラメータ測定装置の場合は、撮像対象の目的物を一律の基準に当て嵌めて認識することが困難であり、その認識のために複雑な処理プログラムを必要としてしまうことから、当該眼鏡装用パラメータ測定装置が例えばタブレット端末装置を利用して構成された場合の情報処理能力を考慮すると、撮像目的物を認識するオートシャッター機構をそのまま適用し得るとは言えない。
そこで、本願発明者は、この点につき、さらに鋭意検討を重ねた。そして、本願発明者は、撮像目的物となる被検者の顔側面または顔正面とは別に、その近傍に所定の合わせパターンマークを配し、これを利用するという従来にはない新たな着想を得るに至った。すなわち、被検者の顔近傍に所定の合わせパターンマークを配しておく一方で、その合わせパターンマークに対応するガイドパターンマークを撮像ファインダー内に表示し、これらの合致を契機にオートシャッターを働かせて撮像結果を得るようにするのである。このようにすれば、パターンマーク同士の比較となるので、撮像対象の目的物の場合とは異なり、その認識を容易に行うことができる。しかも、眼鏡装用パラメータ測定装置が撮像対象に対して傾いた状態となったり、撮像対象に近づき過ぎたり離れ過ぎたりすると、パターンマーク同士が合致しないので、そのような状態での撮像を排除できる。
【００１４】
本発明は、上述した本願発明者による新たな着想に基づいてなされたものである。
すなわち、本発明は、被撮像面に合わせパターンマークが描かれてなる測定補助具を被検者の顔近傍に配しておき、その被検者の顔側面または顔正面を合わせパターンマークと共に撮像対象とし、その撮像対象を画像表示する撮像ファインダー内にて合わせパターンマークに対応するガイドパターンマークを表示し、その撮像ファインダー内で合わせパターンマークとガイドパターンマークとが合致すると、当該合致を契機にオートシャッターを働かせて撮像結果を得ることを特徴とする。
このような特徴を有することで、本発明は、装置本体が可搬式であっても、上記（１）の問題の全てを解消し、これにより高精度な眼鏡装用パラメータ測定を行うことを実現可能とするのである。
【００１５】
＜２．眼鏡装用パラメータの具体例＞
ここで、眼鏡装用パラメータ測定装置を用いて測定される眼鏡装用パラメータについて説明する。
図１は、眼鏡装用パラメータの具体例を示す説明図である。
【００１６】
本実施形態において測定される眼鏡装用パラメータには、被検者が前記眼鏡フレームを装用した状態における角膜頂点間距離、フレーム前傾角、フィッティングポイント位置、瞳孔間距離およびフレーム反り角が含まれる。
【００１７】
角膜頂点間距離は、図１（ａ）に示すように、被検者（眼鏡装用者）が遠方視したときの視軸を遠方視軸Ａとした場合において、その遠方視軸Ａ上における当該被検者の眼球Ｅの角膜頂点から眼鏡レンズＬの内面までの距離ＣＶＤである。
【００１８】
フレーム前傾角は、一般には眼鏡フレームのテンプルとリムとがなす角度のことを言うが、本実施形態では、図１（ａ）に示すように、遠方視軸Ａと眼鏡レンズＬの外面上で直交する直線Ｌ１と、その遠方視軸Ａ上での眼鏡レンズＬの外面における接線Ｌ２とがなす角度αのことを言う。
【００１９】
フィッティングポイント位置は、図１（ｂ）に示すように、眼鏡フレームのデータムライン（レンズ上下幅の中央に位置する水平線）Ｄからフィッティングポイント（被検者の瞳孔の位置）までの距離ＦＰである。
【００２０】
瞳孔間距離は、図１（ｂ）に示すように、被検者が遠方視したときの左右眼の瞳中心間距離ＰＤである。本実施形態における瞳孔間距離ＰＤには、右眼の瞳孔中心から眼鏡フレームのブリッジの中心までの距離である右眼単眼瞳孔距離ＰＤＲと、左眼の瞳孔中心から眼鏡フレームのブリッジの中心までの距離である左眼単眼瞳孔距離ＰＤＬとが含まれるものとする。
【００２１】
フレーム反り角は、図１（ｃ）に示すように、眼鏡フレームを真上から観察したときに、その眼鏡フレームのリムがブリッジに対してなす角度βである。
【００２２】
これらの眼鏡装用パラメータは、本実施形態における具体例に過ぎない。つまり、眼鏡装用パラメータは、これらに限定されることはなく、これらの少なくとも一つを含んでいればよく、またこれら以外のものを含んでいても構わない。これら以外のものとしては、例えば、近方視角膜頂点間距離、近方視瞳孔間距離、眼球回旋角等が挙げられる。
【００２３】
＜３．眼鏡装用パラメータ測定装置の構成例＞
次に、眼鏡装用パラメータの測定を行う際に用いられる眼鏡装用パラメータ測定装置の構成例について説明する。
図２は、本発明の一実施形態における眼鏡装用パラメータ測定装置の構成例を示す説明図であり、（ａ）は外観斜視図、（ｂ）は機能ブロック図を示している。
【００２４】
図２（ａ）に示すように、本実施形態で説明する眼鏡装用パラメータ測定装置１は、携帯型のタブレット端末装置を利用して構成されている。以下、本実施形態における眼鏡装用パラメータ測定装置１を、単に「タブレット端末」と称す。
【００２５】
タブレット端末１は、眼鏡装用パラメータの測定者（すなわち被検者に対する検者）が手で持ち運び可能な可搬式の装置筐体（本体部）１０を備えている。そして、装置筐体１０には、ＣＣＤ（Charge Coupled Device）センサまたはＣＭＯＳ（Complementary Metal-Oxide Semiconductor）センサを有してなる撮像カメラ部１１と、ＬＣＤ（Liquid Crystal Display）パネル等のフラットパネルディスプレイを有してなる表示画面部１２と、ＣＰＵ（Central Processing Unit）を有してなる情報処理部１４（ただし図２（ａ）には不図示）とが設けられている。つまり、タブレット端末１は、撮像機能、画像表示機能および情報処理機能を備えたコンピュータとして機能するものである。
【００２６】
このようなタブレット端末１において、表示画面部１２にはタッチパネルが付設されており、そのタッチパネルを操作することでタブレット端末１に対する情報入力を行い得るように構成されている。なお、タッチパネルの操作は、図例のようにタッチペンを用いて行うことが考えられるが、操作者の指で直接行うようにしても構わない。また、タッチパネルを用いるのではなく、タブレット端末１に接続されたキーボードやマウス等の情報入力装置を用いるようにしても構わない。
【００２７】
また、タブレット端末１は、図２（ｂ）に示すように、その装置筐体１０内に、撮像カメラ部１１および表示画面部１２に加えて、不揮発性メモリからなるメモリ部１３が設けられている。メモリ部１３には、撮像カメラ部１１で得た画像データや表示画面部１２のタッチパネル等で入力された各種データの他に、情報処理部１４の処理動作に必要となる所定プログラムが記憶される。このメモリ部１３から所定プログラムを読み出して実行することで、情報処理部１４は、撮像制御手段１４ａ、表示制御手段１４ｂおよび計測演算手段１４ｃとして機能するようになっている。
【００２８】
撮像制御手段１４ａは、撮像カメラ部１１の動作制御を行うものである。撮像カメラ部１１の動作制御には、当該撮像カメラ部１１におけるシャッターの動作タイミング制御が含まれる。具体的には、撮像カメラ部１１は、眼鏡装用パラメータの測定にあたり、眼鏡フレームを装用した状態の被検者の顔上面、顔側面または顔正面を撮像対象とするとともに、詳細を後述する測定補助具の被撮像面に描かれた合わせパターンマークについても被検者の顔側面または顔正面と併せて撮像対象とする。そして、撮像制御手段１４ａは、被検者の顔側面または顔正面については、撮像対象となった合わせパターンマークを利用しつつ、詳細を後述するタイミングで撮像カメラ部１１のオートシャッターを働かせて撮像結果を得るようになっている。撮像カメラ部１１のオートシャッターについては、制御タイミングを除き、その機構自体は公知技術を用いて実現すればよい。
【００２９】
表示制御手段１４ｂは、表示画面部１２の動作制御を行うものである。表示画面部１２の動作制御には、当該表示画面部１２が表示する画像内容についての制御が含まれる。具体的には、表示画面部１２は、撮像カメラ部１１による撮像対象を画像表示することで、当該撮像カメラ部１１の撮像ファインダーとして機能する。このとき、表示制御手段１４ｂは、詳細を後述するように、表示画面部１２による撮像ファインダー内に、撮像対象となる合わせパターンマークに対応するガイドパターンマークを表示する。そして、撮像ファインダー内にガイドパターンマークを表示することで、撮像制御手段１４ａは、合わせパターンマークとガイドパターンマークとを利用しつつ、両マークが合致するか否かによって、撮像カメラ部１１のオートシャッターを働かせるタイミングを制御することになる。
また、表示制御手段１４ｂは、詳細を後述するように、表示画面部１２による撮像ファインダー内に、撮像カメラ部１１が設けられている装置筐体１０の姿勢の状態を示すアイコン画像を表示する。これにより、タブレット端末１を手に持つ検者は、その装置筐体１０の姿勢の状態を視認し得ることになる。
さらに、表示制御手段１４ｂは、詳細を後述するように、撮像カメラ部１１で得られた撮像結果をグリッド画像と共に表示画面部１２に表示させるとともに、そのグリッド画像を利用して当該撮像結果についての位置補正処理を行わせるようになっている。
【００３０】
計測演算手段１４ｃは、被検者に関する眼鏡装用パラメータを求めるためのものである。詳しくは、計測演算手段１４ｃは、撮像カメラ部１１で得られた撮像結果を用いつつ、表示画面部１２のタッチパネル等からの入力情報に基づいて、被検者に関する眼鏡装用パラメータを求める演算処理を行うようになっている。
【００３１】
これらの各手段１４ａ〜１４ｃは、情報処理部１４がメモリ部１３内の所定プログラムを読み出して実行することによって実現される。つまり、タブレット端末１における各手段１４ａ〜１４ｃとしての機能は、メモリ部１３内の所定プログラム（すなわち、本発明に係る眼鏡装用パラメータ測定プログラムの一実施形態）によって実現される。その場合に、眼鏡装用パラメータ測定プログラムは、メモリ部１３内にインストールされて用いられることになるが、そのインストールに先立ち、タブレット端末１で読み取り可能な記憶媒体に格納されて提供されるものであってもよいし、あるいはタブレット端末１と接続する通信回線を通じて当該タブレット端末１へ提供されるものであってもよい。
【００３２】
なお、本実施形態では、装置筐体１０内の情報処理部１４が計測演算手段１４ｃとして機能する場合、すなわち装置筐体１０内にて計測演算手段１４ｃが眼鏡装用パラメータを求める演算処理を行う場合を例に挙げたが、例えばタブレット端末１と接続する無線または有線の通信回線を通じて当該通信回線上の他装置と情報処理部１４が通信可能に構成されている場合には、当該他装置に眼鏡装用パラメータを求める演算処理を行う機能を担わせるようにしても構わない。つまり、タブレット端末１の装置筐体１０には、少なくとも撮像カメラ部１１および表示画面部１２が設けられていればよく、情報処理部１４による計測演算手段１４ｃとしての機能等は、いわゆるクラウドコンピューティングのように、通信回線上の他装置に代替させてもよい。
【００３３】
＜４．測定補助具の構成例＞
次に、タブレット端末１を用いて眼鏡装用パラメータの測定を行う際に、そのタブレット端末１の撮像カメラ部１１で撮像対象とされる測定補助具の構成例について説明する。
図３は、本発明の一実施形態における測定補助具の構成例を示す説明図である。
【００３４】
図例のように、本実施形態で説明する測定補助具２０は、第一部材２１と、第二部材２２と、連結部２３とを備えて構成されている。
【００３５】
第一部材２１は、例えば平面形状が矩形状（例えば長方形状）の板状材によって形成されており、被検者の顔または当該被検者が装用している眼鏡フレームの少なくとも一方と所定関係の位置に配されるものである。ここでいう「所定関係の位置に配される」とは、当該位置にて当該所定関係を保つように配されることを意味する。また、「所定関係」は、眼鏡装用パラメータの測定に好適となるように予め設定された位置関係のことをいい、その一具体例として被検者の利き目側で当該被検者が装用する眼鏡フレームのテンプルと接する位置関係または当該テンプルの近傍に位置する関係が挙げられる。ただし、ここで挙げたのは一具体例に過ぎず、眼鏡装用パラメータの測定に好適となるように予め設定された位置関係であれば、他の例であっても「所定関係」に該当し得る。このような「所定関係の位置」への配置は、第一部材２１を眼鏡フレームのテンプルに引っ掛けるように構成することで行うようにしてもよいし、第一部材２１をクリップ等の取り付け具を利用して眼鏡フレームのテンプルに取り付けることで行うようにしてもよいし、第一部材２１を眼鏡フレームのテンプルに貼り付けることで行うようにしてもよい。また、眼鏡フレームのテンプルに取り付けるのではなく、眼鏡装用パラメータの測定者が第一部材２１を手で把持することで行うようにしてもよい。さらには、床や机上等に置かれたスタンドの先端に測定補助具２０を取り付けることで、所定関係の位置への配置を行うようにしてもよい。つまり、第一部材２１の支持固定態様については、特に限定されるものではない。
このような支持固定にあたり、第一部材２１は、例えば樹脂材料を用いて軽量に形成されていることが望ましい。
【００３６】
第二部材２２は、例えば平面形状が第一部材２１と同等の大きさの矩形状（例えば長方形状）の板状材によって形成されている。そして、板状材の一方の面側に、眼鏡装用パラメータの測定のために眼鏡フレームを装用した状態の被検者の顔と共に撮像される被撮像面２４を有している。この被撮像面２４には、詳細を後述するように、所定形状および所定サイズの合わせパターンマーク２５が形成されている。
この第二部材２２についても、第一部材２１と同様に、例えば樹脂材料を用いて軽量に形成されていることが望ましい。
【００３７】
連結部２３は、第一部材２１と第二部材２２とを連結するものである。ただし、連結部２３は、第一部材２１に対する第二部材２２の相対位置を移動可能とし、かつ、その相対位置を任意位置で維持し得るように、第一部材２１と第二部材２２とを連結する。なお、ここでいう「任意位置」には、詳細を後述するように、第二部材２２における被撮像面２４が被検者の顔側面と共に撮像される位置と、第二部材２２における被撮像面２４が被検者の顔正面と共に撮像される位置とが含まれるものとする。
このような連結態様を簡易な構成で実現するために、連結部２３は、第一部材２１と第二部材２２とを所定角度範囲内で回転可能（図中矢印Ｒ参照）にするヒンジ機構によって構成されている。ヒンジ機構は、矩形板状の第一部材２１および第二部材２２の一端縁に配される。これにより、第一部材２１と第二部材２２とは、ヒンジ機構からなる連結部２３を介して連結されるとともに、そのヒンジ機構の連結軸を中心にして互いの成す角度が変化することになる。また、ヒンジ機構であれば、例えば当該ヒンジ機構を構成する連結軸とその軸受け部との嵌め合い寸法の調整により、第一部材２１と第二部材２２との相対位置が移動可能で、かつ、移動後の状態を任意位置で維持し得るような機構を容易に実現することが可能となる。
なお、連結部２３を構成するヒンジ機構についても、連結軸を除き、第一部材２１および第二部材２２と同様に、例えば樹脂材料を用いて軽量に形成されていることが望ましい。
【００３８】
このような構成の測定補助具２０において、第二部材２２の被撮像面２４には、合わせパターンマーク２５が形成されている。ここで、合わせパターンマーク２５について、具体例を挙げて説明する。
【００３９】
合わせパターンマーク２５は、眼鏡装用パラメータの測定にあたり、被検者の顔側面または顔正面に対する撮像動作を制御するための基準の一つとして用いられるもので、所定形状および所定サイズの図形によって構成されている。
所定形状の図形であれば、合わせパターンマーク２５は、例えば一次元方向に延びるものであってもよいが、被撮像面２４上にて二次元の各方向に延びる図形の組み合わせからなるものが望ましい。本実施形態における合わせパターンマーク２５は、図例のように、平面形状が長方形状の被撮像面２４上に、四つの線分を長方形状に配置した図形部分と、これを囲うように三つの線分をコ字状に配置した図形部分とを組み合わせて構成されている。これにより、本実施形態における合わせパターンマーク２５は、長辺と短辺が二次元の各方向に延びるＬ字状の図形部分を少なくとも二つ含むことになる。しかも、これらの各図形部分は、対応する長辺同士および短辺同士が互いに平行となる位置関係にある。
また、合わせパターンマーク２５を構成する図形は、所定サイズで形成されている。具体的には、本実施形態における合わせパターンマーク２５について、長方形状の図形部分およびコ字状の図形部分の被撮像面２４上での各辺の大きさが既知となっている。
【００４０】
合わせパターンマーク２５を構成する図形は、撮像画像上で認識可能となるように、被撮像面２４の地色とのコントラストを確保し得る色が付されているものとする。具体的には、例えば被撮像面２４の地色が白色であれば、黒色、青色または赤色等の図形によって合わせパターンマーク２５を構成することが考えられる。
【００４１】
なお、ここで挙げた合わせパターンマーク２５は単なる一具体例に過ぎず、所定形状および所定サイズの図形によって構成されていれば、他の図形パターンによって構成されていても構わない。
【００４２】
＜５．眼鏡装用パラメータ測定方法の手順＞
次に、上述した構成のタブレット端末１および測定補助具２０を使用して行う眼鏡装用パラメータ測定方法の手順について説明する。
【００４３】
（５−１．手順の概要）
ここで、先ず、眼鏡装用パラメータ測定方法の手順の概要について説明する。
図４は、本発明の一実施形態における眼鏡装用パラメータ測定方法の手順の一例を示すフローチャートである。
【００４４】
本実施形態で説明する眼鏡装用パラメータ測定方法においては、眼鏡フレームを装用した状態の被検者の顔上面、顔側面または顔正面を選択的に順に撮像し、顔上面の撮像結果である画像を基に眼鏡装用パラメータのうちのフレーム反り角βを求め、顔側面の撮像結果である画像を基に眼鏡装用パラメータのうちの角膜頂点間距離ＣＶＤおよびフレーム前傾角αを求め、顔正面の撮像結果である画像を基に眼鏡装用パラメータのうちのフィッティングポイント位置ＦＰおよび瞳孔間距離ＰＤを求めることで、各眼鏡装用パラメータについて測定を行う。
【００４５】
具体的には、眼鏡装用パラメータの測定者（すなわち眼鏡店の店員等の検者）は、眼鏡フレームを装用した状態の被検者の顔近傍に測定補助具２０を配して撮影準備をするとともに、眼鏡装用パラメータ測定プログラムがアプリケーションプログラムとしてインストールされたタブレット端末１の立ち上げを行う（ステップ１０１、以下ステップを「Ｓ」と略す。）。ここまでは、本実施形態の眼鏡装用パラメータ測定方法における「準備段階」に相当する。
【００４６】
準備段階の後は、検者がタブレット端末１を手に持った状態で、そのタブレット端末１における撮像カメラ部１１を利用して、眼鏡フレームを装用した状態の被検者の顔上面を撮像し（Ｓ１０２）、次いで被検者の顔側面を測定補助具２０の被撮像面２４に描かれた合わせパターンマーク２５と共に撮像し（Ｓ１０３）、さらに被検者の顔正面を測定補助具２０の被撮像面２４に描かれた合わせパターンマーク２５と共に撮像する（Ｓ１０４）。このとき、被検者の顔上面については検者のシャッターボタン押下により撮像を行うが、被検者の顔側面および顔正面については合わせパターンマーク２５を利用しつつ撮像カメラ部１１のオートシャッターを働かせて撮像（オート撮影）を行う。これにより、タブレット端末１は、眼鏡フレームを装用した状態の被検者の顔を、上面、側面および正面の三方向から撮像することになる。ここまでは、本実施形態の眼鏡装用パラメータ測定方法における「撮像段階」に相当する。
【００４７】
撮像段階の後は、検者がタブレット端末１を操作しつつ、撮像段階で得られた撮像結果に基づいて、各種眼鏡装用パラメータの測定を行う。すなわち、タブレット端末１は、被検者の顔上面の撮像結果である画像を基にフレーム反り角βを求める（Ｓ１０５）。また、タブレット端末１は、被検者の顔側面の撮像結果である画像を基に角膜頂点間距離ＣＶＤを求め（Ｓ１０６）、さらにフレーム前傾角αを求める（Ｓ１０７）。また、タブレット端末１は、被検者の顔正面の撮像結果である画像を基に、その被検者が装用している眼鏡フレームのレンズ縦幅の測定を行った上で（Ｓ１０８）、フィッティングポイント位置ＦＰを求め（Ｓ１０９）、さらに瞳孔間距離ＰＤを求める（Ｓ１１０）。そして、タブレット端末１は、このようにして求めた各種眼鏡装用パラメータの測定結果を、例えばメモリ部１３に保存しておく（Ｓ１１１）。ここまでは、本実施形態の眼鏡装用パラメータ測定方法における「測定段階」に相当する。
【００４８】
このように、本実施形態で説明する眼鏡装用パラメータ測定方法では、大別すると準備段階、撮像段階および測定段階の各段階を経て、各眼鏡装用パラメータについての測定を行う。以下、これらの各段階について、さらに詳しく説明する。
【００４９】
（５−２．準備段階）
準備段階では、眼鏡装用パラメータの測定に用いる測定補助具２０を、被検者の顔近傍に配する。さらに詳しくは、被検者の顔または当該被検者が装用している眼鏡フレームの少なくとも一方と所定関係の位置に配する。
図５は、本発明の一実施形態における測定補助具の配置態様の一具体例を示す説明図である。
【００５０】
図５（ａ）は、被検者の顔側面の撮像に対応するための測定補助具２０の配置態様の一具体例を示している。
図例のように、眼鏡フレームＦを装用した状態の被検者の顔側面ＳＦの撮像に対応する場合には、測定補助具２０を閉じた状態、すなわち連結部２３を構成するヒンジ機構の連結軸を中心にして第一部材２１と第二部材２２とが重なるように折り畳んだ状態にしておく（例えば図３（ａ）参照）。そして、第一部材２１と第二部材２２とを折り畳んだ状態のまま、その第一部材２１を被検者の利き目側で当該被検者の顔または当該被検者が装用している眼鏡フレームＦの少なくとも一方と所定関係の位置に配する。さらに詳しくは、連結部２３が眼鏡フレームＦのリムＲ側に位置しつつ、第二部材２２の被撮像面２４が外方側（被検者の顔面側とは反対側）に向くような状態で、第一部材２１を配する。これらの作業は、検者（例えば眼鏡店の店員）が行う。
【００５１】
これにより、測定補助具２０は、第二部材２２の被撮像面２４が、その長辺が眼鏡フレームＦのテンプルＴに沿った方向に延び、その短辺がこれと垂直方向に延びるような姿勢で、被検者の顔の側面側に撮像可能な状態で位置することになる。
このとき、被撮像面２４は、その一端縁が被検者の眼球Ｅの角膜頂点の位置に合致するように配することが考えられるが、必ずしもこれに限定されることはなく、被撮像面２４の一端縁が角膜頂点の位置から離れるようにしても構わない。また、図例では、被撮像面２４が眼鏡フレームＦのテンプルＴの近傍に当該テンプルＴから離れて位置することになる場合を示しているが、これに限定されることはなく、被撮像面２４が眼鏡フレームＦのテンプルＴと接するように配されていても構わない。
【００５２】
図５（ｂ）は、被検者の顔正面の撮像に対応するための測定補助具２０の配置態様の一具体例を示している。
図例のように、眼鏡フレームＦを装用した状態の被検者の顔正面ＦＦの撮像に対応する場合には、被検者の顔側面の撮像に対応するために測定補助具２０の第一部材２１が配された位置（すなわち、被検者の顔または眼鏡フレームＦの少なくとも一方に対して所定関係の位置）を保ったまま、その測定補助具２０の連結部２３を構成するヒンジ機構の連結軸を中心にして第二部材２２を移動させる。そして、測定補助具２０が開いた状態、すなわち連結部２３を支点にして第一部材２１と第二部材２２とが例えば９０°±２０°程度の角度を成す状態にし（例えば図３（ｂ）参照）、その状態を維持しておく。第二部材２２の移動は、検者（例えば眼鏡店の店員）が行う。
【００５３】
これにより、測定補助具２０は、第二部材２２の被撮像面２４が、その長辺が眼鏡フレームＦのデータムラインＤに沿った方向に延び、その短辺がこれと垂直方向に延びるような姿勢で、被検者の顔の正面側に撮像可能な状態で位置することになる。
このとき、被撮像面２４は、被検者の顔側面ＳＦの撮像に対応するために当該被撮像面２４の一端縁が被検者の眼球の角膜頂点の位置に合うように配されていれば、その一端縁側に位置する連結部２３を中心にして第二部材２２が移動するので、その移動後には被検者の眼球の角膜頂点と同一平面上またはこれと同視できる平面上に位置することになる。
【００５４】
なお、ここでは、準備段階として、第一部材２１に対して第二部材２２が移動可能に構成された測定補助具２０を用い、第一部材２１が配された位置を保ったまま第二部材２２を移動させることで、被検者の顔側面ＳＦまたは顔正面ＦＦに選択的に対応する場合を例に挙げたが、測定補助具２０の配置態様がこれに限定されるものではない。つまり、準備段階では、被撮像面２４上の合わせパターンマーク２５が被検者の顔側面ＳＦまたは顔正面ＦＦと共に撮像可能な状態にすればよく、被検者の顔側面ＳＦの撮像に対応するときと被検者の顔正面ＦＦの撮像に対応するときとで測定補助具２０を配置し直す（すなわち測定補助具２０の取り付け方を変える）ようにすることも考えられる。その場合には、測定補助具２０は、必ずしも第一部材２１および連結部２３を備えていなくともよく、合わせパターンマーク２５が形成された被撮像面２４を有していれば、単板状のものであっても足りる。
【００５５】
（５−３．撮像段階）
準備段階の後に行う撮像段階では、検者がタブレット端末１を手に持った状態で、そのタブレット端末１における撮像カメラ部１１を利用して、眼鏡フレームＦを装用した状態の被検者の顔を、上面、側面および正面の三方向から撮像する。
図６〜図８は、本発明の一実施形態における眼鏡装用パラメータ測定装置の撮像ファインダーで表示する内容の具体例を示す説明図である。
【００５６】
（上面側の撮像）
撮像段階では、先ず、被検者の顔を上面側から撮像する。そのために、撮像を行う検者は、タブレット端末１で所定操作を行って、当該タブレット端末１を上面撮像モードとする。
【００５７】
上面撮像モードとなったタブレット端末１は、表示制御手段１４ｂによる制御に従いつつ、図６（ａ）に示すように、表示画面部１２による撮像ファインダー内に、顔上面の輪郭を表すガイド枠３１と、当該タブレット端末１の装置筐体１０の姿勢の状態を示すアイコン画像３２と、マニュアルで撮像を行うためのシャッターボタン３３とを表示する。また、撮像ファインダー内には、基準となる方向を示す基準線３４を表示してもよい。
【００５８】
この状態で、検者は、タブレット端末１の表示画面部１２が水平面に重なるような姿勢となるように当該タブレット端末１を構え、その表示画面部１２による撮像ファインダー内に表示されているガイド枠３１に、撮像カメラ部１１を通して得られる被検者の顔上面の画像の位置を合わせるようにする。
【００５９】
このとき、撮像ファインダー内にはアイコン画像３２が表示されているので、そのアイコン画像３２を視認することで、検者はタブレット端末１の装置筐体１０の姿勢の状態を把握することが可能となる。具体的には、図６（ｂ）に示すように、タブレット端末１の装置筐体１０の姿勢が水平面に置かれたような状態であると、アイコン画像３２を構成する十字マーク３２ａが尖鋭に表示されるが、当該装置筐体１０の姿勢が傾いた状態であると、その傾き方向に応じて十字マーク３２ａが幅広に表示されることになる。このようなアイコン画像３２の可変表示は、例えばタブレット端末１が有するジャイロセンサの検出結果を基に、表示制御手段１４ｂが公知の画像処理技術を利用することで実現可能である。
【００６０】
そして、装置筐体１０の傾きが予め設定された許容範囲（例えば傾き角が０．１°以下）内に収まり略水平と見做せる姿勢になると、タブレット端末１は、シャッターボタン３３を押下可能な状態になる。その状態で検者がシャッターボタン３３を押下すると、タブレット端末１では、撮像ファインダーに表示されている状態の画像を撮像カメラ部１１が撮像する。この撮像カメラ部１１による撮像結果である画像（すなわち眼鏡フレームＦを装用した状態の被検者の顔上面の画像）は、検者による目視確認の結果、問題がなければ、メモリ部１３内にデータ保存されることになる。
【００６１】
ところで、被検者の顔を上面側から撮像する場合には、上述したように、検者によるシャッターボタン３３の押下を要するマニュアル撮影を行うようになっている。これは、被検者の顔上面を撮像する場合には、タブレット端末１を略水平となる姿勢に構えるため、略垂直方向に構える場合とは異なり、検者がタブレット端末１を手に持って構えても、手ブレの影響による画像の乱れ（ボケ等）が生じ難いからである。つまり、本実施形態では、被検者の顔上面を撮像する場合に、撮像結果にボケや歪み等が生じ難いことから、タブレット端末１がマニュアル撮影を行うように構成されている。ただし、被検者の顔上面を撮像する場合であっても、後述する顔側面または顔正面を撮像する場合のように、オートシャッターを利用した画像取得を行うようにしても構わない。
【００６２】
（側面側の撮像）
撮像段階において、被検者の顔上面の撮像を行った後は、続いて、被検者の顔を側面側から撮像する。そのために、撮像を行う検者は、タブレット端末１で所定操作を行って、当該タブレット端末１を側面撮像モードとする。
【００６３】
側面撮像モードとなったタブレット端末１は、表示制御手段１４ｂによる制御に従いつつ、図７（ａ）に示すように、表示画面部１２による撮像ファインダー内に、顔側面の輪郭を表すガイド枠４１と、当該タブレット端末１の装置筐体１０の姿勢の状態を示すアイコン画像４２と、マニュアル撮影を行うかオート撮影を行うかを選択するためのアイコン画像４３と、マニュアル撮影を行う場合に使用するシャッターボタン４４とを表示する。なお、側面撮像モードでは、アイコン画像４３でマニュアル撮影かオート撮影かが選択されるが、デフォルトでオート撮影が選択されるようにしても構わない。マニュアル撮影を行う場合には、アイコン画像４３での選択切り替えを行った上で、上述した顔上面の場合と同様に撮像を行うことになる。
【００６４】
また、側面撮像モードとなったタブレット端末１は、オート撮影を行うために、表示画面部１２による撮像ファインダー内の所定箇所に、ガイドパターンマーク４５を表示する。このとき、表示画面部１２は、表示制御手段１４ｂによる制御に従いつつ、撮像ファインダー内の所定箇所として、当該撮像ファインダーの画面中心から外れた位置（具体的には、被検者の角膜あたりを画面中心に配した場合における合わせパターンマーク２５の位置）に、ガイドパターンマーク４５を表示する。これにより、撮像ファインダー内においては、撮像目的物である被検者の顔測面（特に、被検者の角膜周辺）を画面中心に位置させることが可能となる。
ガイドパターンマーク４５は、被検者の顔側面と共に撮像される合わせパターンマーク２５に対応するものである。ここでいう「対応」とは、両マーク２５，４５が同一に、または近似して形成されており、互いを重ね合わせて合致させることが可能であることを意味する。
具体的には、ガイドパターンマーク４５は、被撮像面２４上にて二次元の各方向に延びる図形の組み合わせからなる合わせパターンマーク２５に対して、当該合わせパターンマーク２５と同じパターン形状に形成されている。さらに詳しくは、四つの線分を長方形状に配置した図形部分と、これを囲うように三つの線分をコ字状に配置した図形部分とを組み合わせて構成された合わせパターンマーク２５に対して、ガイドパターンマーク４５は、コ字状図形部分に対応する矩形状パターンと、長方形状図形部分に対応する矩形状パターンとを有するパターン形状に形成されている。
また、ガイドパターンマーク４５は、被撮像面２４上にて所定サイズで形成された合わせパターンマーク２５に対して、当該合わせパターンマーク２５を撮像カメラ部１１が所定撮影倍率（例えば、縮尺が被検者実像の５０％）かつ所定撮影距離（例えば４００ｍｍ）で撮像したときに撮像ファインダー内で合致するサイズに形成されている。ここでいう「撮影倍率」とは、撮像カメラ１１が撮像を行う際のレンズ（ズーム）倍率のことである。また、ここでいう「撮影距離」とは、撮像カメラ部１１から被写体までの間の距離である。
このようなガイドパターンマーク４５の表示は、表示制御手段１４ｂが公知の画像処理技術を利用した画像形成処理を行うことで実現すればよい。
なお、撮像ファインダー内には、ガイドパターンマーク４５と併せて、基準となる方向を示す基準線４６を表示してもよい。
【００６５】
その後、検者は、撮像ファインダー内にガイドパターンマーク４５を表示した状態で、タブレット端末１の表示画面部１２が垂直方向に立った姿勢となるように当該タブレット端末１を構える。このとき、撮像ファインダー内には、上述した被検者の顔上面の撮像時と同様に、アイコン画像４２が表示されている。したがって、検者は、そのアイコン画像４２を視認することで、タブレット端末１の装置筐体１０の姿勢の状態を把握することが可能となる。
【００６６】
そして、図７（ｂ）に示すように、検者は、撮像ファインダー内に表示されているガイド枠４１を目安の一つとして、撮像カメラ部１１を通して得られる被検者の顔側面の画像の位置を当該ガイド枠４１に合わせるようにしつつ、さらに撮像ファインダー内に表示されているガイドパターンマーク４５に撮像カメラ部１１を通して得られる合わせパターンマーク２５を重ね合わせるようにする。
【００６７】
撮像ファインダー内で合わせパターンマーク２５とガイドパターンマーク４５とが完全に重なり合うと、タブレット端末１では、これを契機としたタイミングで、撮像制御手段１４ａが撮像カメラ部１１のオートシャッターを働かせて、撮像ファインダー内に表示されている被検者の顔側面の画像についての撮像（オート撮影）を行う。つまり、タブレット端末１は、撮像ファインダー内で合わせパターンマーク２５とガイドパターンマーク４５とが合致すると、当該合致を契機にオートシャッターを働かせて撮像結果を得るのである。なお、ここでいう「合致」には、両マーク２５，４５が一致して同一視できる場合の他に、各パターンの相違が予め設定された許容範囲内（例えば傾き角が０．１°以下の相当するパターンズレより小さい状態）に収まり両マーク２５，４５を略同一視できると見做せるようになった場合も含む。
【００６８】
このとき、例えば、合わせパターンマーク２５が描かれた測定補助具２０の被撮像面２４が撮像カメラ部１１と正対せずに傾いていると、その被撮像面２４上の合わせパターンマーク２５のパターン形状が撮像ファインダー内で歪んでしまい、その撮像ファインダー内におけるガイドパターンマーク４５と合致しなくなってしまう。換言すると、撮像ファインダー内のガイドパターンマーク４５に合わせパターンマーク２５が合致していれば、被撮像面２４が撮像カメラ部１１と正対している状態にあると言える。そのため、合わせパターンマーク２５とガイドパターンマーク４５との合致を契機にして撮像を行えば、傾きが無い状態（すなわち、平面矩形状のタブレット端末１の対向する各端辺部分と被写体との間の距離が一致する状態）での被検者の顔側面の撮像結果が得られる。
特に、合わせパターンマーク２５が被撮像面２４上にて二次元の各方向に延びる図形の組み合わせからなり、これに対応するガイドパターンマーク４５も同じく二次元のパターン形状に形成されていれば、当該二次元の各方向のいずれについても、傾きが無い状態とすることができる。
しかも、合わせパターンマーク２５が長方形状図形部分とこれを囲うコ字状図形部分とによる二重の図形構造のものであれば、ガイドパターンマーク４５についてもこれに対応したものとすることで、撮像ファインダー内で合致させるべき箇所が複数（二重に）存在することになるので、ガイドパターンマーク４５への合わせパターンマーク２５の重ね合わせが行い易くなり、その結果として撮像する際の傾き排除の高精度化が期待できる。
【００６９】
また、このとき、撮像ファインダー内のガイドパターンマーク４５に合わせパターンマーク２５が合致していれば、その合わせパターンマーク２５が描かれた測定補助具２０の被撮像面２４と撮像カメラ部１１との間の距離が予め想定された所定撮影距離（例えば４００ｍｍ）となる。合わせパターンマーク２５が所定サイズで形成されているのに対して、当該合わせパターンマーク２５を所定撮影倍率かつ所定撮影距離で撮像したときに撮像ファインダー内で合致するサイズにガイドパターンマーク４５が形成されているからである。そのため、合わせパターンマーク２５とガイドパターンマーク４５との合致を契機にして撮像を行えば、合わせパターンマーク２５およびその近傍に位置する被検者の顔側面について、タブレット端末１の側で予め想定していた撮像条件による撮像結果が得られる。つまり、撮像カメラ部１１が被検者の顔側面に近づき過ぎたり離れ過ぎたりした状態での撮像が行われることを未然に回避することができ、予め想定していた通りの大きさおよびピント合わせが行われた撮像結果が得られるようになる。
【００７０】
さらに、撮像結果を得る際には、合わせパターンマーク２５とガイドパターンマーク４５との合致を契機にオートシャッターを働かせるので、マニュアル撮影でシャッターボタン４４を押下して撮像する場合に比べると、手ブレの影響による画像の乱れ（ボケ等）の発生を抑制することが可能となる。その上、合わせパターンマーク２５とガイドパターンマーク４５との合致を契機にオートシャッターを働かせるので、マニュアル撮影でシャッターボタン４４を押下する場合のように撮像をすべきタイミングとボタン押下のタイミングとの間のズレの発生を抑制することも可能となり、本来取得すべき画像が得られるようになる。
【００７１】
このように、タブレット端末１は、撮像ファインダー内で合わせパターンマーク２５とガイドパターンマーク４５とが合致すると、当該合致を契機にオートシャッターを働かせて、撮像ファインダーに表示されている状態の画像を撮像カメラ部１１が撮像する。この撮像カメラ部１１による撮像結果である画像（すなわち眼鏡フレームＦを装用した状態の被検者の顔側面の画像）は、検者による目視確認の結果、問題がなければ、メモリ部１３内にデータ保存されることになる。
【００７２】
（正面側の撮像）
撮像段階において、被検者の顔側面の撮像を行った後は、続いて、被検者の顔を正面側から撮像する。そのために、撮像を行う検者は、測定補助具２０の第二部材２２を移動させて被撮像面２４を正面側に向かせるとともに、タブレット端末１で所定操作を行って当該タブレット端末１を正面撮像モードとする。
【００７３】
正面撮像モードとなったタブレット端末１は、表示制御手段１４ｂによる制御に従いつつ、図８（ａ）に示すように、表示画面部１２による撮像ファインダー内に、顔正面の輪郭を表すガイド枠５１と、当該タブレット端末１の装置筐体１０の姿勢の状態を示すアイコン画像５２と、マニュアル撮影を行うかオート撮影を行うかを選択するためのアイコン画像５３と、マニュアル撮影を行う場合に使用するシャッターボタン５４とを表示する。なお、正面撮像モードにおいても、側面撮像モードの場合と同様に、アイコン画像５３でマニュアル撮影かオート撮影かが選択されるが、デフォルトでオート撮影が選択されるようにしても構わない。マニュアル撮影を行う場合には、アイコン画像５３での選択切り替えを行った上で、上述した顔上面の場合と同様に撮像を行うことになる。
【００７４】
また、正面撮像モードとなったタブレット端末１は、オート撮影を行うために、表示画面部１２による撮像ファインダー内の所定箇所に、ガイドパターンマーク５５を表示する。このとき、表示画面部１２は、表示制御手段１４ｂによる制御に従いつつ、撮像ファインダー内の所定箇所として、当該撮像ファインダーの画面中心から外れた位置（具体的には、被検者の左右瞳孔の中心点あたりを画面中心に配した場合における合わせパターンマーク２５の位置）に、ガイドパターンマーク５５を表示する。これにより、撮像ファインダー内においては、撮像目的物である被検者の顔正面（特に、被検者の瞳孔周辺）を画面中心に位置させることが可能となる。
ガイドパターンマーク５５は、被検者の顔正面と共に撮像される合わせパターンマーク２５に対応するものである。この点は、側面撮像モードにおけるガイドパターンマーク４５と全く同様である。すなわち、ガイドパターンマーク５５は、被撮像面２４上にて二次元の各方向に延びる図形の組み合わせからなる合わせパターンマーク２５に対して、当該合わせパターンマーク２５と同じパターン形状に形成されている。また、ガイドパターンマーク５５は、被撮像面２４上にて所定サイズで形成された合わせパターンマーク２５に対して、当該合わせパターンマーク２５を撮像カメラ部１１が所定撮影倍率（例えば、縮尺が被検者実像の５０％）かつ所定撮影距離（例えば４００ｍｍ）で撮像したときに撮像ファインダー内で合致するサイズに形成されている。
このようなガイドパターンマーク５５の表示についても、側面撮像モードの場合と同様に、表示制御手段１４ｂが公知の画像処理技術を利用した画像形成処理を行うことで実現すればよい。
なお、撮像ファインダー内には、ガイドパターンマーク５５と併せて、基準となる方向を示す基準線５６を表示してもよい。
【００７５】
その後、検者は、撮像ファインダー内にガイドパターンマーク５５を表示した状態で、タブレット端末１の表示画面部１２が垂直方向に立った姿勢となるように当該タブレット端末１を構える。このとき、撮像ファインダー内には、上述した被検者の顔上面の撮像時と同様に、アイコン画像５２が表示されている。したがって、検者は、そのアイコン画像５２を視認することで、タブレット端末１の装置筐体１０の姿勢の状態を把握することが可能となる。
【００７６】
そして、図８（ｂ）に示すように、検者は、撮像ファインダー内に表示されているガイド枠５１を目安の一つとして、撮像カメラ部１１を通して得られる被検者の顔正面の画像の位置を当該ガイド枠５１に合わせるようにしつつ、さらに撮像ファインダー内に表示されているガイドパターンマーク５５に撮像カメラ部１１を通して得られる合わせパターンマーク２５を重ね合わせるようにする。
【００７７】
撮像ファインダー内で合わせパターンマーク２５とガイドパターンマーク５５とが完全に重なり合うと、タブレット端末１では、これを契機としたタイミングで、撮像制御手段１４ａが撮像カメラ部１１のオートシャッターを働かせて、撮像ファインダー内に表示されている被検者の顔正面の画像についての撮像（オート撮影）を行う。つまり、タブレット端末１は、撮像ファインダー内で合わせパターンマーク２５とガイドパターンマーク５５とが合致すると、当該合致を契機にオートシャッターを働かせて撮像結果を得るのである。
【００７８】
したがって、正面撮像モードにおいても、合わせパターンマーク２５とガイドパターンマーク５５との合致を契機にしてオート撮影を行うことで、側面撮像モードの場合と同様に、二次元の各方向のいずれについても傾きが無い状態での被検者の顔正面の撮像結果が得られる。また、撮像カメラ部１１が被検者の顔正面に近づき過ぎたり離れ過ぎたりした状態での撮像が行われることを未然に回避することができ、予め想定していた通りの大きさおよびピント合わせが行われた撮像結果が得られるようになる。さらに、合わせパターンマーク２５とガイドパターンマーク５５との合致を契機にオートシャッターを働かせるので、マニュアル撮影の場合に比べると、手ブレの影響による画像の乱れ（ボケ等）の発生を抑制することが可能となる。その上、合わせパターンマーク２５とガイドパターンマーク５５との合致を契機にオートシャッターを働かせるので、マニュアル撮影でシャッターボタン５４を押下する場合のように撮像をすべきタイミングとボタン押下のタイミングとの間のズレの発生を抑制することも可能となり、本来取得すべき画像が得られるようになる。
【００７９】
このように、タブレット端末１は、撮像ファインダー内で合わせパターンマーク２５とガイドパターンマーク５５とが合致すると、当該合致を契機にオートシャッターを働かせて、撮像ファインダーに表示されている状態の画像を撮像カメラ部１１が撮像する。この撮像カメラ部１１による撮像結果である画像（すなわち眼鏡フレームＦを装用した状態の被検者の顔正面の画像）は、検者による目視確認の結果、問題がなければ、メモリ部１３内にデータ保存されることになる。
【００８０】
（５−４．測定段階）
撮像段階の後に行う測定段階では、検者がタブレット端末１を操作しつつ、撮像段階で得られた撮像結果の画像を用いて、各種眼鏡装用パラメータの測定を行う。
図９〜図１３は、本発明の一実施形態における眼鏡装用パラメータ測定装置で眼鏡装用パラメータを求める際の表示画面部での表示内容の具体例を示す説明図である。
【００８１】
（フレーム反り角の測定）
測定段階では、先ず、眼鏡装用パラメータのうちのフレーム反り角βを求める。そのために、測定を行う検者は、タブレット端末１で所定操作を行って、当該タブレット端末１を反り角測定モードとする。
【００８２】
反り角測定モードとなったタブレット端末１は、表示制御手段１４ｂによる制御に従いつつ、図９（ａ）に示すように、上面撮像モードにて撮像カメラ部１１で得られた撮像結果である被検者の顔上面画像をメモリ部１３内から読み出して表示画面部１２で表示するとともに、その顔上面画像と併せて、所定サイズの格子状に形成されたグリッド画像６１を表示画面部１２で表示する。このグリッド画像６１は、表示画面部１２を基準にして（すなわち当該表示画面部１２の長辺および短辺の各方向に沿うように）表示される。さらに、タブレット端末１は、表示画面部１２が表示する被検者の顔上面画像の傾斜状態を調整するためのアイコン画像６２を表示する。ここでいう傾斜状態は、表示画面部１２の画面内での回転方向の傾きの状態のことである。
【００８３】
この状態で、検者は、表示画面部１２が表示するグリッド画像６１を利用して、同じく表示画面部１２が表示する被検者の顔上面画像が画面内で左右に傾斜せず水平であることを確認する。そして、傾斜しているときには、検者は、アイコン画像６２をタッチパネル等で操作して、顔上面画像の傾斜状態を調整する。アイコン画像６２の操作があると、表示制御手段１４ｂは、その操作内容に従いつつ、表示画面部１２が表示する被検者の顔上面画像についての位置補正処理を行う。これにより、表示画面部１２が表示する被検者の顔上面画像は、その画面内で左右に傾斜せず水平である状態となる。
【００８４】
被検者の顔上面画像が表示画面部１２の画面内で水平な状態であれば、その後、タブレット端末１では、表示画面部１２が表示する被検者の顔上面画像を用いつつ、計測演算手段１４ｃがフレーム反り角βを求める演算処理を行う。
そのために、先ず、検者は、図９（ｂ）に示すように、表示画面部１２のタッチパネル等を操作して、その表示画面部１２の画面内で移動可能なアイコン画像６３を、表示中の顔上面画像上における眼鏡フレームの右側リムの外端および内端並びに左側リムの外端および内端のそれぞれに位置させる。このとき、表示制御手段１４ｂは、アイコン画像６３とその周辺領域を拡大して表示する部分拡大領域６４を、表示画面部１２の画面内の所定箇所に表示させるようにしてもよい。このようにすれば、検者がアイコン画像６３を移動させて位置合わせする際の操作性向上が図れる。
検者がアイコン画像６３をそれぞれの位置に移動させると、計測演算手段１４ｃは、外端および内端の各アイコン画像６３の中心を結ぶ直線と画面内の水平線とがなす角度を、フレーム反り角βとして求める。
【００８５】
このようにして計測演算手段１４ｃが求めたフレーム反り角βは、表示制御手段１４ｂによる制御に従いつつ、表示画面部１２の画面内の所定ウインドウ６５に表示される。そして、その演算処理結果は、検者による確認の結果、問題がなければ、メモリ部１３内にデータ保存されることになる。
【００８６】
（角膜頂点間距離の測定）
測定段階において、フレーム反り角βの測定を行った後は、続いて、眼鏡装用パラメータのうちの角膜頂点間距離ＣＶＤを求める。そのために、測定を行う検者は、タブレット端末１で所定操作を行って、当該タブレット端末１を頂点間距離測定モードとする。
【００８７】
頂点間距離測定モードとなったタブレット端末１は、表示制御手段１４ｂによる制御に従いつつ、図１０（ａ）に示すように、側面撮像モードにて撮像カメラ部１１で得られた撮像結果である被検者の顔側面画像をメモリ部１３内から読み出して表示画面部１２で表示するとともに、その顔側面画像と併せて、所定サイズの格子状に形成されたグリッド画像７１を表示画面部１２で表示する。このグリッド画像７１は、上述した反り角測定モードの場合と同様に、表示画面部１２を基準にして（すなわち当該表示画面部１２の長辺および短辺の各方向に沿うように）表示される。さらに、タブレット端末１は、表示画面部１２が表示する被検者の顔側面画像の傾斜状態を調整するためのアイコン画像７２を表示する。
【００８８】
この状態で、検者は、表示画面部１２が表示するグリッド画像７１を利用して、同じく表示画面部１２が表示する被検者の顔側面画像が画面内で左右に傾斜せず水平であることを確認する。そして、傾斜しているときには、検者は、アイコン画像７２をタッチパネル等で操作して、顔側面画像の傾斜状態を調整する。アイコン画像７２の操作があると、表示制御手段１４ｂは、その操作内容に従いつつ、表示画面部１２が表示する被検者の顔側面画像についての位置補正処理を行う。これにより、表示画面部１２が表示する被検者の顔側面画像は、その画面内で左右に傾斜せず水平である状態となる。
【００８９】
被検者の顔側面画像が表示画面部１２の画面内で水平な状態であれば、その後、タブレット端末１では、表示画面部１２が表示する被検者の顔側面画像を用いつつ、計測演算手段１４ｃが角膜頂点間距離ＣＶＤを求める演算処理を行う。
そのために、先ず、検者は、図１０（ｂ）に示すように、表示画面部１２のタッチパネル等を操作して、その表示画面部１２の画面内で移動可能なアイコン画像７３を、表示中の顔側面画像上における角膜の頂点に位置させる。アイコン画像７３を角膜頂点位置に合わせたら、続いて、検者は、表示画面部１２のタッチパネル等を操作して、その表示画面部１２の画面内で移動可能なアイコン画像７４を、表示中の顔側面画像上における眼鏡フレームのリムの上端および下端に位置させる。このとき、表示制御手段１４ｂは、アイコン画像７３，７４とその周辺領域を拡大して表示する部分拡大領域７５を、表示画面部１２の画面内の所定箇所に表示させるようにしてもよい。このようにすれば、検者がアイコン画像７３，７４を移動させて位置合わせする際の操作性向上が図れる。
検者がアイコン画像７３，７４をそれぞれの位置に移動させると、計測演算手段１４ｃは、眼鏡フレームのテンプルまたは合わせパターンマーク２５の長辺と平行で、かつ、角膜頂点に位置するアイコン画像７３の中心を通る直線と、眼鏡フレームのリムの上端および下端の各アイコン画像７４の中心を結ぶ直線との交点を求める。そして、計測演算手段１４ｃは、その交点と角膜頂点に位置するアイコン画像７３の中心との間の距離を、角膜頂点間距離ＣＶＤとして求める。
なお、ここでは、アイコン画像７４を眼鏡フレームのリムの上端および下端に位置させて角膜頂点間距離ＣＶＤを求める場合を例に挙げたが、必ずしもこれに限定されることはなく、レンズの内面の点（上述した直線どうしの交点に相当）にアイコン画像を位置させ、そのアイコン画像の中心と角膜頂点に位置するアイコン画像７３の中心との間の距離を角膜頂点間距離ＣＶＤとして求めるようにしても構わない。
【００９０】
このときの角膜頂点間距離ＣＶＤの測定は、表示画面部１２で表示される被検者の顔側面画像上で行う。そのため、角膜頂点間距離ＣＶＤの測定にあたっては、実空間内での大きさと顔側面画像上での大きさとを関連付けるキャリブレーション（較正）が必要となる。
ただし、撮像カメラ部１１で得られた顔側面画像中には、測定補助具２０の被撮像面２４上に形成された合わせパターンマーク２５の画像が含まれている。そして、合わせパターンマーク２５は、所定サイズの図形によって構成されており、その図形の大きさ（すなわち実空間内での大きさ）が既知となっている。
したがって、角膜頂点間距離ＣＶＤを求める演算処理を行う計測演算手段１４ｃは、合わせパターンマーク２５を構成するいずれかの図形部分を用いて、実空間内での大きさと顔側面画像上での大きさとを関連付けるキャリブレーションを行い、顔側面画像上でのスケール変換を行うことが可能となる。
【００９１】
キャリブレーションに用いる合わせパターンマーク２５の図形部分は、ある程度の大きさを有したものであることが望ましい。キャリブレーションの高精度化を図るためである。例えば、画素数が１２００万画素である撮像カメラ部１１を用いて当該撮像カメラ部１１から４００ｍｍ程度の距離に測定補助具２０の被撮像面２４を正対させて当該被撮像面２４を撮像する場合には、キャリブレーションに用いる合わせパターンマーク２５の図形部分が６０ｍｍ以上の大きさ（長さ）を有したものであれば、その図形部分の撮像画像上での測長ばらつきを±０．３ｍｍ以内に抑えられる。ところが、それよりも小さいと、測長ばらつきが大きくなってしまうことがわかっている。このことから、合わせパターンマーク２５の図形部分は、ある程度の大きさ（例えば６０ｍｍ以上の大きさ）を有したものであることが望ましいのである。
【００９２】
このようにして計測演算手段１４ｃが求めた角膜頂点間距離ＣＶＤは、表示制御手段１４ｂによる制御に従いつつ、表示画面部１２の画面内の所定ウインドウ７６に表示される。そして、その演算処理結果は、検者による確認の結果、問題がなければ、メモリ部１３内にデータ保存されることになる。
【００９３】
（フレーム前傾角の測定）
測定段階において、角膜頂点間距離ＣＶＤの測定を行った後は、続いて、眼鏡装用パラメータのうちのフレーム前傾角αを求める。そのために、測定を行う検者は、タブレット端末１で所定操作を行って、当該タブレット端末１を前傾角測定モードとする。
【００９４】
前傾角測定モードとなったタブレット端末１は、上述した頂点間距離測定モードの場合と全く同様に、被検者の顔側面画像およびグリッド画像７１を表示画面部１２で表示し、その被検者の顔側面画像の傾斜状態を調整可能にする（図１０（ａ）参照）。
【００９５】
被検者の顔側面画像が表示画面部１２の画面内で水平な状態であれば、その後、タブレット端末１では、表示画面部１２が表示する被検者の顔側面画像を用いつつ、計測演算手段１４ｃがフレーム前傾角αを求める演算処理を行う。
そのために、先ず、検者は、図１０（ｃ）に示すように、表示画面部１２のタッチパネルを操作して、その表示画面部１２の画面内で移動可能なアイコン画像７４を、表示中の顔側面画像上における眼鏡フレームのリムの上端および下端に位置させる。このとき、表示制御手段１４ｂは、アイコン画像７４とその周辺領域を拡大して表示する部分拡大領域７５を、表示画面部１２の画面内の所定箇所に表示させるようにしてもよい。このようにすれば、検者がアイコン画像７４を移動させて位置合わせする際の操作性向上が図れる。
検者がアイコン画像７４をそれぞれの位置に移動させると、計測演算手段１４ｃは、眼鏡フレームのリムの上端および下端の各アイコン画像７４の中心を結ぶ直線と画面内の鉛直線とがなす角度を、フレーム前傾角αとして求める。
【００９６】
このようにして計測演算手段１４ｃが求めたフレーム前傾角αは、表示制御手段１４ｂによる制御に従いつつ、表示画面部１２の画面内の所定ウインドウ７７に表示される。そして、その演算処理結果は、検者による確認の結果、問題がなければ、メモリ部１３内にデータ保存されることになる。
【００９７】
（レンズ縦幅の測定）
測定段階において、フレーム前傾角αの測定を行った後は、続いて、眼鏡装用パラメータのうちのフィッティングポイント位置ＦＰを求めるために必要となるレンズ縦幅を求める。そのために、測定を行う検者は、タブレット端末１で所定操作を行って、当該タブレット端末１を縦幅測定モードとする。
【００９８】
縦幅測定モードとなったタブレット端末１は、表示制御手段１４ｂによる制御に従いつつ、図１１（ａ）に示すように、正面撮像モードにて撮像カメラ部１１で得られた撮像結果である被検者の顔正面画像をメモリ部１３内から読み出して表示画面部１２で表示するとともに、その顔正面画像と併せて、所定サイズの格子状に形成されたグリッド画像８１を表示画面部１２で表示する。このグリッド画像８１は、上述した反り角測定モードまたは頂点間距離測定モードの場合と同様に、表示画面部１２を基準にして（すなわち当該表示画面部１２の長辺および短辺の各方向に沿うように）表示される。さらに、タブレット端末１は、表示画面部１２が表示する被検者の顔正面画像の傾斜状態を調整するためのアイコン画像８２を表示する。
【００９９】
この状態で、検者は、表示画面部１２が表示するグリッド画像８１を利用して、同じく表示画面部１２が表示する被検者の顔正面画像が画面内で左右に傾斜せず水平であることを確認する。そして、傾斜しているときには、検者は、アイコン画像８２をタッチパネル等で操作して、顔正面画像の傾斜状態を調整する。アイコン画像８２の操作があると、表示制御手段１４ｂは、その操作内容に従いつつ、表示画面部１２が表示する被検者の顔正面画像についての位置補正処理を行う。これにより、表示画面部１２が表示する被検者の顔正面画像は、その画面内で左右に傾斜せず水平である状態となる。
【０１００】
被検者の顔正面画像が表示画面部１２の画面内で水平な状態であれば、その後、タブレット端末１では、表示画面部１２が表示する被検者の顔正面画像を用いつつ、計測演算手段１４ｃがレンズ縦幅を求める演算処理を行う。
そのために、先ず、検者は、図１１（ｂ）に示すように、表示画面部１２のタッチパネル等を操作して、その表示画面部１２の画面内で移動可能なアイコン画像８３を、表示中の顔正面画像上における眼鏡フレームのリムの上端および下端に位置させる。このとき、表示制御手段１４ｂは、アイコン画像８３とその周辺領域を拡大して表示する部分拡大領域８４を、表示画面部１２の画面内の所定箇所に表示させるようにしてもよい。このようにすれば、検者がアイコン画像８３を移動させて位置合わせする際の操作性向上が図れる。
検者がアイコン画像８３をそれぞれの位置に移動させると、計測演算手段１４ｃは、眼鏡フレームのリムの上端および下端の各アイコン画像８３の中心同士の鉛直方向の距離を、レンズ縦幅として求める。
【０１０１】
このときのレンズ縦幅の測定は、表示画面部１２で表示される被検者の顔正面画像上で行うため、実空間内での大きさと顔正面画像上での大きさとを関連付けるキャリブレーション（較正）が必要となる。このキャリブレーションについては、撮像カメラ部１１で得られた顔正面画像中に合わせパターンマーク２５の画像が含まれているため、上述した角膜頂点間距離ＣＶＤの場合と全く同様に、その合わせパターンマーク２５を構成するいずれかの図形部分を用いて行うことが可能である。
【０１０２】
このようにして計測演算手段１４ｃが求めたレンズ縦幅は、表示制御手段１４ｂによる制御に従いつつ、表示画面部１２の画面内の所定ウインドウ８５に表示される。そして、その演算処理結果は、検者による確認の結果、問題がなければ、メモリ部１３内にデータ保存されることになる。
【０１０３】
（フィッティングポイントの測定）
測定段階において、レンズ縦幅の測定を行った後は、続いて、眼鏡装用パラメータのうちのフィッティングポイント位置ＦＰを求める。そのために、測定を行う検者は、タブレット端末１で所定操作を行って、当該タブレット端末１をフィッティングポイント測定モードとする。
【０１０４】
フィッティングポイント測定モードとなったタブレット端末１は、上述した縦幅測定モードの場合と全く同様に、被検者の顔正面画像およびグリッド画像８１を表示画面部１２で表示し、その被検者の顔側面画像の傾斜状態を調整可能にする（図１１（ａ）参照）。
【０１０５】
被検者の顔正面画像が表示画面部１２の画面内で水平な状態であれば、その後、タブレット端末１では、表示画面部１２が表示する被検者の顔正面画像を用いつつ、計測演算手段１４ｃがフィッティングポイント位置ＦＰを求める演算処理を行う。
そのために、先ず、検者は、図１２（ａ）に示すように、表示画面部１２のタッチパネル等を操作して、その表示画面部１２の画面内で移動可能なアイコン画像８６を、表示中の顔正面画像上における瞳孔の中心に位置させる。このとき、表示制御手段１４ｂは、アイコン画像８６とその周辺領域を拡大して表示する部分拡大領域８４を、表示画面部１２の画面内の所定箇所に表示させるようにしてもよい。このようにすれば、検者がアイコン画像８６を移動させて位置合わせする際の操作性向上が図れる。
また、このとき、表示制御手段１４ｂは、縦幅測定モードで得られたレンズ縦幅の測定結果に基づいて、眼鏡フレームのデータムラインを表示画面部１２の画面内に表示させる。具体的には、表示制御手段１４ｂは、レンズ縦幅の測定結果から当該レンズ縦幅の鉛直方向における中点の位置を算出し、その中点を通る水平線をデータムラインとして表示画面部１２に表示させる。
その後、計測演算手段１４ｃは、瞳孔中心に位置するアイコン画像８６の中心を通る水平線とデータムラインとの間の鉛直方向における距離を、フィッティングポイント位置ＦＰとして求める。なお、瞳孔中心に位置するアイコン画像８６の中心を通る水平線が左右眼で異なる場合には、利き目側の距離をフィッティングポイント位置ＦＰとすることが考えられるが、左右眼のそれぞれについての距離の平均値をフィッティングポイント位置ＦＰとしても構わない。
【０１０６】
このときのフィッティングポイント位置ＦＰの測定は、表示画面部１２で表示される被検者の顔正面画像上で行うため、実空間内での大きさと顔正面画像上での大きさとを関連付けるキャリブレーション（較正）が必要となる。このキャリブレーションについては、撮像カメラ部１１で得られた顔正面画像中に合わせパターンマーク２５の画像が含まれているため、上述した角膜頂点間距離ＣＶＤまたはレンズ縦幅の場合と全く同様に、その合わせパターンマーク２５を構成するいずれかの図形部分を用いて行うことが可能である。
【０１０７】
このようにして計測演算手段１４ｃが求めたフィッティングポイント位置ＦＰは、表示制御手段１４ｂによる制御に従いつつ、表示画面部１２の画面内の所定ウインドウ８７に表示される。そして、その演算処理結果は、検者による確認の結果、問題がなければ、メモリ部１３内にデータ保存されることになる。
【０１０８】
（瞳孔間距離の測定）
測定段階において、フィッティングポイント位置ＦＰの測定を行った後は、続いて、眼鏡装用パラメータのうちの瞳孔間距離ＰＤを求める。そのために、測定を行う検者は、タブレット端末１で所定操作を行って、当該タブレット端末１を瞳孔間距離測定モードとする。
【０１０９】
瞳孔間距離測定モードとなったタブレット端末１は、上述した縦幅測定モードまたはフィッティングポイント測定モードの場合と全く同様に、被検者の顔正面画像およびグリッド画像８１を表示画面部１２で表示し、その被検者の顔側面画像の傾斜状態を調整可能にする（図１１（ａ）参照）。
【０１１０】
被検者の顔正面画像が表示画面部１２の画面内で水平な状態であれば、その後、タブレット端末１では、表示画面部１２が表示する被検者の顔正面画像を用いつつ、計測演算手段１４ｃが瞳孔間距離ＰＤを求める演算処理を行う。
そのために、先ず、検者は、図１２（ｂ）に示すように、表示画面部１２のタッチパネル等を操作して、その表示画面部１２の画面内で移動可能なアイコン画像８６を、表示中の顔正面画像上における瞳孔の中心に位置させる。このとき、表示制御手段１４ｂは、アイコン画像８６とその周辺領域を拡大して表示する部分拡大領域８４を、表示画面部１２の画面内の所定箇所に表示させるようにしてもよい。このようにすれば、検者がアイコン画像８６を移動させて位置合わせする際の操作性向上が図れる。
検者がアイコン画像８６を瞳孔中心位置に移動させたら、計測演算手段１４ｃは、左右眼それぞれの各アイコン画像８６の中心同士の水平方向の距離を、瞳孔間距離ＰＤとして求める。この瞳孔間距離ＰＤについては、右眼単眼瞳孔距離ＰＤＲおよび左眼単眼瞳孔距離ＰＤＬとして求めるようにしてもよい。具体的には、計測演算手段１４ｃは、眼鏡フレームのブリッジの中心を通る鉛直線の位置を認識した上で、その鉛直線と右眼についてのアイコン画像８６の中心との水平方向の距離を右眼単眼瞳孔距離ＰＤＲとして求め、その鉛直線と左眼についてのアイコン画像８６の中心との水平方向の距離を左眼単眼瞳孔距離ＰＤＬとして求める。
【０１１１】
このときの瞳孔間距離ＰＤＲ，ＰＤＬの測定は、表示画面部１２で表示される被検者の顔正面画像上で行うため、実空間内での大きさと顔正面画像上での大きさとを関連付けるキャリブレーション（較正）が必要となる。このキャリブレーションについては、撮像カメラ部１１で得られた顔正面画像中に合わせパターンマーク２５の画像が含まれているため、上述した角膜頂点間距離ＣＶＤ、レンズ縦幅またはフィッティングポイント位置ＦＰの場合と全く同様に、その合わせパターンマーク２５を構成するいずれかの図形部分を用いて行うことが可能である。
【０１１２】
このようにして計測演算手段１４ｃが求めた瞳孔間距離ＰＤＲ，ＰＤＬは、表示制御手段１４ｂによる制御に従いつつ、表示画面部１２の画面内の所定ウインドウ８８に表示される。そして、その演算処理結果は、検者による確認の結果、問題がなければ、メモリ部１３内にデータ保存されることになる。
【０１１３】
（測定結果の保存）
以上に説明した測定段階で求めた各種眼鏡装用パラメータは、被検者を識別する情報（例えば被検者の氏名)と関連付けてメモリ部１３内にデータ保存されることになる。そして、タブレット端末１は、必要に応じて（例えば当該タブレット端末１で所定操作があったとき）、メモリ部１３内から各種眼鏡装用パラメータを読み出して、例えば図１３に示すような一覧形式で出力する。出力先としては、一覧形式で表示出力を行う表示画面部１２が挙げられるが、これに限定されることはなく、タブレット端末１と通信回線を通じて接続する当該通信回線上の他装置に対して出力することも考えられる。
【０１１４】
＜６．本実施形態の効果＞
本実施形態で説明したタブレット端末１、当該タブレット端末１の特徴的な機能を実現する眼鏡装用パラメータ測定プログラム、および、当該タブレット端末１を用いて行う画像取得方法によれば、以下のような効果が得られる。
【０１１５】
本実施形態によれば、装置筐体１０が可搬式のタブレット端末１を利用して、各種眼鏡装用パラメータの測定を行う。そのため、非可搬式の大掛かりな測定装置のような設置スペースを要することがなく、眼鏡店への導入を容易化できる。この点で、各種眼鏡装用パラメータの測定を行う検者（眼鏡店の店員等）にとっては、利便性に優れたものとなる。
【０１１６】
しかも、本実施形態は、合わせパターンマーク２５が描かれてなる測定補助具２０を被検者の顔近傍に配しておき、その被検者の顔側面または顔正面を合わせパターンマーク２５と共にタブレット端末１による撮像対象とし、そのタブレット端末１の撮像ファインダー内には合わせパターンマーク２５に対応するガイドパターンマーク４５，５５を表示し、その撮像ファインダー内で合わせパターンマーク２５とガイドパターンマーク４５，５５とが合致すると、当該合致を契機にタブレット端末１の撮像カメラ部１１がオートシャッターを働かせて撮像結果を得ることを特徴とする。つまり、撮像目的物となる被検者の顔側面または顔正面とは別に、その近傍に所定の合わせパターンマーク２５を配しておき、これを利用してオートシャッターを働かせるようにする。したがって、本実施形態によれば、対応するパターンマーク２５，４５，５５同士を比較することになるので、撮像目的物が千差万別で一律の基準に当て嵌めて認識することが困難であっても、その影響を受けることなく確実にオートシャッターを働かせることができる。
【０１１７】
その上、本実施形態によれば、上述した特徴を有していることから、装置筐体１０が可搬式のタブレット端末１を利用する場合であっても、被検者の顔側面または顔正面についてボケや歪み等のない画像を取得することができ、これにより高精度な眼鏡装用パラメータ測定を行うことが実現可能となる。
すなわち、本実施形態によれば、
（１）合わせパターンマーク２５とガイドパターンマーク４５，５５との合致を契機に撮像カメラ部１１がオートシャッターを働かせて撮像結果を得るので、検者が可搬式のタブレット端末１を手に持って構えても、マニュアル撮影でシャッターボタンを押下して撮像する場合とは異なり、手ブレの影響により画像の乱れ（ボケ等）が生じてしまうのを抑制することができ、その結果として高精度な眼鏡装用パラメータ測定を行うことが実現可能となる。
（２）また、撮像カメラ部１１がオートシャッターを働かせるので、マニュアル撮影でシャッターボタンを押下して撮像する場合とは異なり、撮像をすべきタイミングで撮像結果が得られるようになる。つまり、本来取得すべき画像が得られるようになり、再度の画像取得（やり直し）が必要になるといったことが生じない。
（３）さらに、合わせパターンマーク２５とガイドパターンマーク４５，５５との合致をオートシャッターの契機とするので、検者が可搬式のタブレット端末１を手に持って構える場合であっても、パターンマーク２５，４５，５５同士を比較することで、タブレット端末１の撮像カメラ部１１が撮像対象となる被検者の顔側面または顔正面と正対せずに傾いた状態となってしまうことがない。しかも、パターンマーク２５，４５，５５同士を比較することで、撮像カメラ部１１が撮像対象に近づき過ぎたり離れ過ぎたりした状態での撮像が行われることを未然に回避することができる。そのため、撮像結果である画像に歪み等が生じてしまうことがなく、予め想定していた通りの撮像結果が得られるようになるので、その結果として高精度な眼鏡装用パラメータ測定を行うことが実現可能となる。
【０１１８】
特に、本実施形態で説明したように、合わせパターンマーク２５が被撮像面２４上にて二次元の各方向に延びる図形の組み合わせからなり、これに対応するガイドパターンマーク４５，５５が当該合わせパターンマーク２５と同じパターン形状に形成されていれば、当該二次元の各方向のいずれについても、傾きが無い状態とすることができる。しかも、二次元の各方向に延びるパターン形状とすることで、ガイドパターンマーク４５，５５への合わせパターンマーク２５の重ね合わせが行い易くなり、その結果として撮像する際の傾き排除の高精度化が期待できる。
【０１１９】
さらには、本実施形態で説明したように、合わせパターンマーク２５が所定サイズで形成されているのに対して、当該合わせパターンマーク２５を所定撮影倍率かつ所定撮影距離で撮像したときに撮像ファインダー内で合致するサイズにガイドパターンマーク４５，５５が形成されていれば、撮像カメラ部１１が撮像対象に近づき過ぎたり離れ過ぎたりした状態での撮像が行われることがなく、予め想定していた通りの大きさおよびピント合わせが行われた撮像結果が得られるようになる。
【０１２０】
また、本実施形態によれば、合わせパターンマーク２５に対応するガイドパターンマーク４５，５５の撮像ファインダー内への表示にあたり、その撮像ファインダーの画面中心から外れた位置にガイドパターンマーク４５，５５が表示される。そのため、撮像ファインダー内においては、撮像目的物である被検者の顔測面（特に、被検者の角膜周辺）または顔正面（特に、被検者の瞳孔周辺）を画面中心に位置させることが可能となり、その結果として、その後に行う測定段階での作業が検者にとって行い易いものとなる。
【０１２１】
また、本実施形態によれば、表示画面部１２による撮像ファインダー内に撮像カメラ部１１が設けられている装置筐体１０の姿勢の状態を示すアイコン画像４２，５２を表示するので、そのアイコン画像４２，５２を視認することで、検者はタブレット端末１の装置筐体１０の姿勢の状態を把握することが可能となる。つまり、撮像ファインダー内で合わせパターンマーク２５とガイドパターンマーク４５，５５とを合致させる際に、検者はアイコン画像４２，５２を視認しながら当該アイコン画像４２，５２を指標の一つとして利用することが可能となるので、当該アイコン画像４２，５２を表示しない場合に比べると、より一層の撮像時の傾き排除の高精度化が期待できる。
【０１２２】
ところで、本実施形態では、オートシャッターを働かせる際に、合わせパターンマーク２５とガイドパターンマーク４５，５５とを合致させることで、タブレット端末１の撮像カメラ部１１を撮像対象に正対させて傾きが無い状態とするようになっている。ただし、合わせパターンマーク２５とガイドパターンマーク４５，５５とを合致させて撮像する際の傾き排除を行っても、検者がタブレット端末１を手に持った状態や被検者の顔近傍への測定補助具２０の配置状態等の影響によっては、得られた撮像結果が表示画面部１２の画面内で回転方向に傾斜してしまうこともあり得る。
この点、本実施形態においては、撮像カメラ部１１で得られた撮像結果をグリッド画像７１，８１と共に表示画面部１２に表示させ、そのグリッド画像７１，８１を利用して当該撮像結果についての位置補正処理を行うようになっている。したがって、本実施形態によれば、タブレット端末１が可搬式であるが故に、または被検者の顔近傍へ配置する測定補助具２０の合わせパターンマーク２５を利用するが故に、撮像結果が表示画面部１２の画面内で回転方向に傾斜し得る場合であっても、グリッド画像７１，８１を利用した位置補正処理を行うことで、その傾斜状態を補正して表示画面部１２の画面内で水平な状態にすることができ、その後に行う各種眼鏡装用パラメータ測定を精度良く行うことが実現可能となる。
【０１２３】
＜７．変形例等＞
以上に本発明の実施形態を説明したが、上述した開示内容は、本発明の例示的な実施形態を示すものである。すなわち、本発明の技術的範囲は、上述の例示的な実施形態に限定されるものではない。
【０１２４】
本実施形態では、撮像段階において被検者の顔を上面（Ｓ１０２）、側面（Ｓ１０３）、正面（Ｓ１０４）の順で撮像する場合を例に挙げたが、撮像順がこれに限定されることはなく、必要に応じて適宜変更しても構わない。
また、本実施形態では、測定段階において各種眼鏡装用パラメータの測定をフレーム反り角β（Ｓ１０５）、角膜頂点間距離ＣＶＤ（Ｓ１０６）、フレーム前傾角α（Ｓ１０７）、レンズ縦幅（Ｓ１０８）、フィッティングポイント位置ＦＰ（Ｓ１０９）、瞳孔間距離ＰＤ（Ｓ１１０）の順で行う場合を例に挙げたが、少なくともフィッティングポイント位置ＦＰの測定に先立ってレンズ縦幅を測定していれば、他は限定されることなく、必要に応じて適宜変更しても構わない。
さらに、本実施形態では、撮像段階（Ｓ１０２〜Ｓ１０４）の後に測定段階（Ｓ１０５〜Ｓ１１１）を行う場合を例に挙げたが、この点についても適宜変更することが可能である。例えば、被検者の顔上面を撮像したらフレーム反り角βを測定し、その後、被検者の顔側面を撮像したら角膜頂点間距離ＣＶＤおよびフレーム前傾角αを測定し、さらにその後、被検者の顔正面を撮像したらフィッティングポイント位置ＦＰおよび瞳孔間距離ＰＤを測定するといったことも実現可能である。
【０１２５】
本実施形態では、撮像段階において、被検者の顔を上面、側面および正面の三方向の全てについて撮像する場合を例に挙げたが、必ずしもこれに限定されることはなく、不要な方向については撮像を省くようにしても構わない。
さらに、本実施形態では、測定段階において、眼鏡装用パラメータとしてフレーム反り角β、角膜頂点間距離ＣＶＤ、フレーム前傾角α、レンズ縦幅、フィッティングポイント位置ＦＰおよび瞳孔間距離ＰＤの全てについて測定する場合を例に挙げたが、必ずしもこれに限定されることはなく、不要な項目については測定を省くようにしても構わない。
【０１２６】
本実施形態では、合わせパターンマーク２５とガイドパターンマーク４５，５５との大きさを合わせることを利用して撮像の際のピント合わせが行われる場合を例に挙げたが、必ずしもこれに限定されることはなく、例えばタブレット端末１の撮像カメラ部１１が有するオートフォーカス機能を利用してピント合わせを行うようにすることも考えられる。その場合に、撮像カメラ部１１は、オートシャッターを働かせる契機となる合わせパターンマーク２５にピント合わせを行ってもよいし、撮像目的物である被検者の顔側面または顔正面にピント合わせを行ってもよい。また、合わせパターンマーク２５にピント合わせを行った場合には、被検者の顔側面または顔正面についての撮像結果の鮮明化を図るために、その撮像結果に対して例えば超解像処理のような公知の画像処理技術を適用することも考えられる。
【０１２７】
本実施形態では、測定段階で各種眼鏡装用パラメータの測定を行う具体例を示した図９〜図１３において、測定結果の具体的な数値を所定ウインドウ６５，７６，７７，８５，８７，８８内に表示しているが、この具体的な数値は単なる例示に過ぎない。つまり、その数値自体が特段の意味を持つものではなく、各被検者について測定を行う度に変わり得るものである。
【０１２８】
本実施形態では、合わせパターンマーク２５が所定サイズの矩形状図形等を組み合わせて構成されている場合を例に挙げたが、必ずしもこれに限定されることはなく、他の形状の図形を組み合わせたものであってもよい。すなわち、合わせパターンマーク２５は、望ましくは被撮像面２４上にて二次元の各方向に延びる図形の組み合わせからなるものであれば、本実施形態で例に挙げたような矩形状の図形パターンによるものではなく、例えば三角形状または五角形以上の多角形状の図形パターンや離間した線分図形が組み合わされてなる図形パターン等であっても構わない。
【符号の説明】
【０１２９】
１…眼鏡装用パラメータ測定装置（タブレット端末）、１０…装置筐体、１１…撮像カメラ部、１２…表示画面部、１３…メモリ部、１４…情報処理部、１４ａ…撮像制御手段、１４ｂ…表示制御手段、１４ｃ…計測演算手段、２０…測定補助具、２４…被撮像面、２５…合わせパターンマーク、３２，４２，５２…アイコン画像、４５，５５…ガイドパターンマーク、６１，７１，８１…グリッド画像
【図１】
2015064455.tif 000003
【図３】
2015064455.tif 000004
【図４】
2015064455.tif 000005
【図５】
2015064455.tif 000006
【図２】
2015064455.tif 000007
【図６】
2015064455.tif 000008
【図７】
2015064455.tif 000009
【図８】
2015064455.tif 000010
【図９】
2015064455.tif 000011
【図１０】
2015064455.tif 000012
【図１１】
2015064455.tif 000013
【図１２】
2015064455.tif 000014
【図１３】
2015064455.tif 000015